(57)【要約】【課題】本発明の目的は、粉状に細かく砕かれ散骨された骨の凝集及び飛散を抑制することができる散骨場、散骨用部材及び散骨方法を提供することである。【解決手段】散骨場１は、所定区画の土地２と粉状に細かく砕かれた骨が散骨される散骨用部材３を備えている。散骨用部材３は、粉状に細かく砕かれた骨が散骨される上面から土地２と接する仮面までを通じて該骨が液体と共に通過する隙間を複数有している。【選択図】図２
2014173328.tif 000002
【特許請求の範囲】
【請求項１】
所定区画の土地と、
前記土地の上に載置され、粉状に細かく砕かれた骨が散骨される散骨用部材と、
を備え、
前記散骨用部材は、前記骨が散骨される上面から前記土地と接する下面までを通じて該骨が液体と共に通過する隙間を複数有していること、
を特徴とする散骨場。
【請求項２】
前記散骨用部材は、玉砂利であること、
を特徴とする請求項１に記載の散骨場。
【請求項３】
前記土地における前記散骨用部材が載置される部分は、前記土地の周囲を囲む土地の地表よりも低くなっていること、
を特徴とする請求項１又は請求項２に記載の散骨場。
【請求項４】
前記散骨用部材の周囲には、一部が地中に埋没した外枠が設けられていること、
を特徴とする請求項１乃至請求項３のいずれかに記載の散骨場。
【請求項５】
所定区画の土地の上に載置され、粉状に細かく砕かれた骨が散骨される散骨用部材であり、該散骨用部材は、該骨が散骨される上面から該土地と接する下面までを通じて該骨が液体と共に通過する隙間を複数有していること、
を特徴とする散骨用部材。
【請求項６】
粉状に細かく砕かれた骨を散骨する方法であって、
所定区画の土地の上に前記骨が散骨される上面から該土地と接する下面までを通じる複数の隙間を有した散骨用部材を載置し、
前記散骨用部材上に前記骨を撒き、
前記骨が撒かれた前記散骨用部材上に液体を注ぐこと、
を特徴とする散骨方法。
【発明の詳細な説明】
【技術分野】
【０００１】
本発明は、粉状に細かく砕かれた骨を散骨するための散骨場、散骨用部材及び散骨方法に関する。
【背景技術】
【０００２】
死後自然に還りたいという機運の高まりや経済的事情から、近年、故人を葬る形態の一つとして散骨が注目されている。そして、散骨を行う場所として、特許文献１に記載の墓園が知られており、この種の墓園に対する従来の散骨方法は、粉状に細かく砕かれた骨を地面に対して撒くことにより行われている。
【０００３】
ところで、粉状に細かく砕かれた骨を単に地面に対して撒くという方法では、粉状に細かく砕かれた骨が雨水によって地表で凝集してしまい地面に浸透せず、散骨された場所の外観が良くない。また、粉状に細かく砕かれた骨が風によって飛ばされることにより、散骨された場所の周囲に飛散し、衛生的に好ましくない。さらに、この飛散によって、故人の骨が散骨された場所から乖離し、散骨後に故人の骨の位置を特定することができない。
【先行技術文献】
【特許文献】
【０００４】
【特許文献１】特開２０００−１２９９６０号公報
【発明の概要】
【発明が解決しようとする課題】
【０００５】
本発明の目的は、粉状に細かく砕かれ散骨された骨の凝集及び飛散を抑制することができる散骨場、散骨用部材及び散骨方法を提供することである。
【課題を解決するための手段】
【０００６】
本発明の第１の形態である散骨場は、
所定区画の土地と、
前記土地の上に載置され、粉状に細かく砕かれた骨が散骨される散骨用部材と、
を備え、
前記散骨用部材は、前記骨が散骨される上面から前記土地と接する下面までを通じて該骨が液体と共に通過する隙間を複数有していること、
を特徴とする。
【０００７】
本発明の第２の形態である散骨用部材は、
所定区画の土地の上に載置され、粉状に細かく砕かれた骨が散骨される散骨用部材であり、該散骨用部材は、該骨が散骨される上面から該土地と接する下面までを通じて該骨が液体と共に通過する隙間を複数有していること、
を特徴とする。
【０００８】
本発明の第３の形態である散骨方法は、
粉状に細かく砕かれた骨を散骨する方法であって、
所定区画の土地の上に前記骨が散骨される上面から該土地と接する下面までを通じる複数の隙間を有した散骨用部材を載置し、
前記散骨用部材上に前記骨を撒き、
前記骨が撒かれた前記散骨用部材上に液体を注ぐこと、
を特徴とする。
【０００９】
本発明においては、散骨された骨が液体と共に、散骨用部材の複数の隙間を通ることにより、凝集することなく速やかに地表へと向かう。これにより、散骨された場所の外観が良好であるだけでなく、散骨された骨が風により飛散することを抑制することができる。
【発明の効果】
【００１０】
本発明によれば、粉状に細かく砕かれ散骨された骨の凝集及び飛散を抑制することができる。
【図面の簡単な説明】
【００１１】
【図１】一実施例である散骨場所の外観図である。
【図２】一実施例である散骨場所の断面図である。
【図３】変形例である散骨場所の外観図である。
【図４】変形例である散骨場所の断面図である。
【発明を実施するための形態】
【００１２】
（散骨場の構成、図１、図２参照）
以下に、実施例である散骨場１について図面を参照しながら説明する。
【００１３】
図１に示すように、散骨場１は、土地２、土地２の上に載置される散骨用部材３、散骨用部材３を囲む外枠４により構成されている。
【００１４】
土地２は、その広さが約４０ｃｍ2の略正方形状の土地である。また、図２に示すように、土地２の高さは、土地２を取り囲む周囲の土地の地表ＧＬよりも約３０ｃｍ低くなっている。
【００１５】
散骨用部材３の材料は、玉砂利、玉石、ガラス玉、及び複数の隙間を有した陶磁器や金属などである。このような散骨用部材３は、土地２の上に載置され、地表ＧＬから約２５ｃｍ高さまで積み上げられている。つまり、散骨用部材３は、粉状に細かく砕かれた骨が撒かれる上面から土地２と接する下面までを通じる隙間であって、撒かれた骨が液体と共に通れる程度の隙間を有しているものであればよく、撥水性の高い材料であると更に好ましい。
【００１６】
外枠４は、散骨用部材３の周囲を囲むように土地２の外縁に設けられており、土地２と土地２の周囲の土地とを隔てることを目的としている。また、外枠４は、地表ＧＬよりも３０ｃｍほど低い土地２の外縁に設けられている。従って、散骨用部材３が外枠４の内部に載置されると、外枠４の下部は、地中に埋没することになる。外枠４の材料としては、御影石といった石材、ヒノキなどの木材及びステンレス等の金属など、すなわち、散骨用部材３を取り囲み一定形状を保持できる部材であればよい。さらに、外枠４の任意の場所には、散骨された故人の情報や故人が好む絵柄等が表示される。なお、外枠４は、土地２と土地２の周囲の土地とを隔てることを目的としていることから、散骨用部材３の底部と土地２との間には介在していない。つまり、外枠４は全体として、四角い筒状を成している。
【００１７】
（散骨方法）
以上のように構成された散骨場１に対する散骨方法では、まず、土地２の上に載置された散骨用部材３の上に、粉状に細かく砕かれた骨を偏ることのないように撒く。
【００１８】
次に、撒かれた骨に柄杓などを用いて水などの液体を注ぐ。これにより、撒かれた骨は、散骨用部材３の複数の隙間を通り、凝集することなく速やかに土地２の地表へと向かう。液体を注ぐ量は、粉状に細かく砕かれた骨１ｍｌ当たり約２０ｍｌである。ただし、この量はひとつの目安であり、液体を注ぐ量は、粉状に細かく砕かれた骨の粒径及び粒子の疎密の程度並びに注がれる液体の粘性及び稠度等、つまり、骨の状態や注がれる液体の種類、その他の要因によって変化する。以上で、散骨場１に対する散骨は終了する。
【００１９】
（散骨場の造成）
散骨場１の造成では、まず、土地２となる区画の土を掘り起こす。このとき、土を掘り起こす量は、地表から１ｍ程度の深さまでである。その後、土地２の高さが、地表ＧＬの高さよりも３０ｃｍほど低くなるように、掘り起こした土を土地２となる区画に戻す。これにより、土地２が完成する。土地２の高さを地表ＧＬの高さより低くしたことにより余った土は、任意の方法で処分する。
【００２０】
なお、この土地２の土を掘り起こす作業によって、該土が柔らかくなり、土地２の吸水性が向上する。従って、元々吸水性のよい土地では、土地２となる区画の土を、地表から１ｍの深さまで掘り起こす必要はない。
【００２１】
次に、外枠４を略正方形状の土地２の４つの外縁に沿うように設置する。
【００２２】
そして、外枠４が設置された土地２に散骨用部材３を載置する。以上で、散骨場１の造成作業は終了する。
【００２３】
（効果）
散骨場１、散骨用部材３及び散骨場１に対する散骨方法によれば、粉状に細かく砕かれ散骨された骨の凝集及び飛散を抑制することができる。具体的には、散骨場１に散骨された骨は液体と共に、散骨用部材３の複数の隙間を通り、凝集することなく速やかに土地２の地表へと向かう。これにより、散骨場１の外観を良好に保つことができ、しかも、散骨された骨が風により飛散することを抑制することができる。
【００２４】
また、散骨場１に散骨された骨は、飛散することがないため、衛生的であるだけでなく、故人の骨が散骨された場所から乖離することを防止し、散骨後に故人の骨の位置を特定することができる。従って、故人を偲ぶ遺族が、再び故人のもとへ供養に訪れることが可能となる。
【００２５】
さらに、散骨場１の構成は簡素であるから、山野に設けることも可能である。山野に設けられた散骨場１においても、散骨場１に散骨された骨は液体と共に、散骨用部材３の複数の隙間を通り、凝集することなく速やかに地表へと向かうため、散骨された骨が鳥獣に荒らされることを抑制することができる。
【００２６】
ところで、散骨場１の土地２は、地表ＧＬよりも約３０ｃｍ低くなっていることから、これが貯水プールの役割を果たす。従って、散骨場１に大量の水を注いでも、散骨場１から水が溢れ出ることがない。これにより、水はけの悪い土地に散骨場１を設けることが可能となる。また、散骨場１に大量の水を注げることから、散骨された骨の地中への浸透を促進することができる。
【００２７】
そして、散骨された骨の地中への浸透を促進する効果によって、死後自然に還りたいと願う故人の要請を満足することが可能となる。
【００２８】
これに加え、散骨場１の外枠４の下部は、地中に埋没している。従って、散骨場１に注がれた水が、外枠４の下部と周囲の土地の地表との隙間から漏れ出すことがない。結果として、散骨場１に注がれた水は、略全て土地２の地表に向かうことになるため、散骨された骨の地中への浸透を更に高めることができる。また、外枠４の下部に位置する地表が、漏れ出た水によって削り取られることがなく、外枠４の傾き及び転倒を抑制することができる。
【００２９】
（実験）
本願発明者は、上述の効果を明確なものとするために実験を行った。実験は、上記実施例に準じた散骨場１及び散骨方法によって行われた。具体的には、実験では、散骨用部材３として、直径５ｃｍ程度の玉砂利を用い、外枠４としてヒノキの板材を用いた。また、実験は、散骨場１に対して、人骨に見立てた粒径約２ｍｍの獣骨の粉末いわゆる骨粉を、散骨用部材３の上に偏ることがないように撒き、これに柄杓で水を注ぐことにより行われた。さらに、実験は、骨粉の量を変えて３回行われ、各骨粉に対して水を注ぐことによって、散骨用部材３の上面から骨粉がなくなるまで何ｍｌの水を注いだかを計測した。骨粉の量は、１回目が２００ｍｌ、２回目が４００ｍｌ、３回目が６００ｍｌである。
【００３０】
実験の結果を表１に示す。
【００３１】
【表１】
2014173328.tif 000003
【００３２】
表１から、骨粉１ｍｌ当たり約２０ｍｌの水を注ぐことによって、散骨用部材３の上面から骨粉がなくなった。また、本実験にあたって、散骨場１に注いだ水が、散骨場１から溢れ出ることはなかった。
【００３３】
（変形例、図３、図４参照）
変形例である散骨場１Ａと散骨場１との相違点は、散骨場の造成手順及び散骨用部材３の載置位置である。
【００３４】
散骨場１Ａの造成手順では、土地２の土を掘り起こした後、その後、土地２の高さが、地表ＧＬよりも５０ｃｍほど低くなるように、掘り起こした土を土地２となる区画に戻す。
【００３５】
次に、散骨用部材３の上面が、地表ＧＬから３０ｃｍの深さとなるように載置する。
【００３６】
そして、外枠４を略正方形状の土地２の４つの外縁に沿うように設置する。このとき、外枠４の底部は、散骨用部材３の上面に位置している。
【００３７】
最後に、外枠４が設けられた土地２に散骨用部材３を更に載置する。以上で、散骨場１Ａの造成作業は終了する。
【００３８】
以上のよう造成された散骨場１Ａでは、図３及び図４に示すように、散骨用部材３の上面に外枠４が設置されている。これにより、散骨場１に水が注がれた際に、土地２の土の軟化によって外枠４が地中に沈み込むことが抑制される。
【００３９】
（他の実施例）
本発明に係る散骨場、散骨用部材及び散骨方法は前記実施形態に限定するものではなく、その要旨の範囲内で種々に変更することができる。例えば、散骨場の土地の広さ、形状、散骨用部材の種類及び外枠の有無等は任意である。
【産業上の利用可能性】
【００４０】
以上のように、本発明は、粉状に細かく砕かれた骨を散骨するための散骨場、散骨用部材及び散骨方法に有用であり、特に、粉状に細かく砕かれ散骨された骨の凝集及び飛散を抑制することができる点で優れている。
【符号の説明】
【００４１】
１，１Ａ  散骨場
２  土地
３  散骨用部材
４  外枠
【図１】
2014173328.tif 000004
【図２】
2014173328.tif 000005
【図３】
2014173328.tif 000006
【図４】
2014173328.tif 000007